(57)【要約】【課題】指定された再生位置の画像を正確に表示することができるＤＶＤ再生装置を提供する。【解決手段】Ａ−Ｂリピート機能を備えたＤＶＤ再生装置において、Ａ点及びＢ点が設定されたＶＯＢＵのアドレスデータを記憶するＮＶ＿ＰＣＫデータファイル３７２ａと、Ａ点が設定されたＶＯＢＵにＶ＿ＰＣＫが含まれるか否かを判断する判断手段（ＣＰＵ，判断プログラム３７２ｅ）と、Ａ点が設定されたＶＯＢＵにＶ＿ＰＣＫが含まれないと判断された場合に、Ａ点が設定されたＶＯＢＵよりも前のＶＯＢＵであって、Ｖ＿ＰＣＫを有する直近のＶＯＢＵのアドレスデータを取得する取得手段（ＣＰＵ，取得プログラム３７２ｆ）と、取得されたアドレスデータを記憶するＶ＿ＰＣＫデータファイル３７２ｂと、Ｖ＿ＰＣＫデータファイル３７２ｂに記憶されたアドレスデータに基づく画像を再生する再生手段（ＣＰＵ，Ａ−Ｂリピート再生プログラム３７２ｇ）と、を備えた。【選択図】図４
2006228264.tif 000002
【特許請求の範囲】
【請求項１】
複数のＶＯＢＵにおける任意のＶＯＢＵ上で設定されたＡ点と、当該Ａ点よりも後となるＶＯＢＵ上で設定されたＢ点との間を繰り返し再生するＡ−Ｂリピート機能を備えたＤＶＤ再生装置において、
前記Ａ点及び前記Ｂ点が設定されたＶＯＢＵのＮＶ＿ＰＣＫに記憶されたアドレスデータを記憶するＮＶ＿ＰＣＫ記憶手段と、
前記Ａ点が設定された際に、前記Ａ点が設定された前記ＶＯＢＵにＶ＿ＰＣＫが含まれるか否かを判断する判断手段と、
前記判断手段により、前記Ａ点が設定された前記ＶＯＢＵにＶ＿ＰＣＫが含まれないと判断された場合に、前記Ａ点が設定された前記ＶＯＢＵよりも前のＶＯＢＵであって、Ｖ＿ＰＣＫを有する直近のＶＯＢＵのアドレスデータを取得する取得手段と、
前記取得手段により取得されたアドレスデータを記憶するＶ＿ＰＣＫ記憶手段と、
前記Ｂ点まで再生されて前記Ａ点に戻ったときに、前記Ｖ＿ＰＣＫ記憶手段に記憶されたＶ＿ＰＣＫを有するＶＯＢＵのアドレスデータに基づく画像を再生する再生手段と、
を備えることを特徴とするＤＶＤ再生装置。
【請求項２】
複数のＶＯＢＵにおける任意のＶＯＢＵ上で設定されたマーカー点から再生するマーカーサーチ機能を備えたＤＶＤ再生装置において、
前記マーカー点が設定されたＶＯＢＵのＮＶ＿ＰＣＫに記憶されたアドレスデータを記憶するＮＶ＿ＰＣＫ記憶手段と、
前記マーカー点が設定された前記ＶＯＢＵにＶ＿ＰＣＫが含まれるか否かを判断する判断手段と、
前記判断手段により、前記マーカー点が設定された前記ＶＯＢＵにＶ＿ＰＣＫが含まれないと判断された場合に、前記マーカー点が設定された前記ＶＯＢＵよりも前のＶＯＢＵであって、Ｖ＿ＰＣＫを有する直近のＶＯＢＵのアドレスデータを取得する取得手段と、
前記取得手段により取得されたアドレスデータを記憶するＶ＿ＰＣＫ記憶手段と、
画像再生中に前記マーカー点に戻ったとき、前記Ｖ＿ＰＣＫ記憶手段に記憶されたＶ＿ＰＣＫを有するＶＯＢＵのアドレスデータに基づく画像を再生する再生手段と、
を備えることを特徴とするＤＶＤ再生装置。
【請求項３】
複数のＶＯＢＵにおける任意のＶＯＢＵ上で設定されたＡ点と、当該Ａ点よりも後となるＶＯＢＵ上で設定されたＢ点との間を繰り返し再生するＡ−Ｂリピート機能を備えたＤＶＤ再生装置において、
前記Ａ点及び前記Ｂ点が設定されたＶＯＢＵのＮＶ＿ＰＣＫに記憶されたアドレスデータを記憶するＮＶ＿ＰＣＫ記憶手段と、
前記Ａ点が設定された前記ＶＯＢＵにＶ＿ＰＣＫが含まれるか否かを判断する判断手段と、
前記判断手段により、前記Ａ点が設定された前記ＶＯＢＵにＶ＿ＰＣＫが含まれないと判断された場合に、前記Ａ点が設定された前記ＶＯＢＵよりも前のＶＯＢＵであって、Ｖ＿ＰＣＫを有する直近のＶＯＢＵのアドレスデータを取得する取得手段と、
前記取得手段により取得されたアドレスデータに基づくＶＯＢＵの画像を再生する再生手段と、
を備えることを特徴とするＤＶＤ再生装置。
【請求項４】
設定されたＡ点とＢ点の間を繰り返し再生するＡ−Ｂリピート機能を備えたＤＶＤ再生装置において、
前記Ａ点及び前記Ｂ点が設定されたＶＯＢＵのＮＶ＿ＰＣＫに記憶されたアドレスデータを記憶するＮＶ＿ＰＣＫ記憶手段と、
前記Ｂ点まで再生されて前記Ａ点に戻った際に、前記Ａ点が設定された前記ＶＯＢＵに
Ｖ＿ＰＣＫが含まれるか否かを判断する判断手段と、
前記判断手段により、前記Ａ点が設定された前記ＶＯＢＵにＶ＿ＰＣＫが含まれないと判断された場合に、前記Ａ点が設定された前記ＶＯＢＵよりも前のＶＯＢＵであって、Ｖ＿ＰＣＫを有する直近のＶＯＢＵのアドレスデータを取得する取得手段と、
前記取得手段により取得されたアドレスデータに基づくＶＯＢＵの画像を再生する再生手段と、
を備えることを特徴とするＤＶＤ再生装置。
【発明の詳細な説明】
【技術分野】
【０００１】
本発明は、ＤＶＤ再生装置に関する。
【背景技術】
【０００２】
近年、ＤＶＤ（Digital  Versatile  Disc）再生装置の需要が高まっている。このようなＤＶＤ再生装置には、様々な再生機能が備えられているが、その中で、再生中にＡ点及びＢ点を決めてＡ−Ｂ間を繰り返し再生するＡ−Ｂリピート機能が知られている。
【０００３】
ＤＶＤのデータは、多数のＶＯＢＵ（Video  Object  Unit）と呼ばれるデータ等を備
えて構成される。また、ＶＯＢＵは、当該ＶＯＢＵに含まれる各データのアドレスデータを記憶するＮＶ＿ＰＣＫと、当該ＮＶ＿ＰＣＫの後に記憶され、ビデオデータであるＶ＿ＰＣＫ，音声データであるＡ＿ＰＣＫ，サブピクチャデータであるＳＰ＿ＰＣＫ等からなる複数の画像音声データとを備えて構成されている。そして、ユーザがＤＶＤの再生中にＡ点及びＢ点を設定すると、Ａ点及びＢ点が設定されたそれぞれの位置に相当するＶ＿ＰＣＫ等のデータのアドレスデータがＮＶ＿ＰＣＫから抽出されて記憶され、Ａ点が設定された位置からＢ点が設定された位置までの再生が繰り返されることとなる（特許文献１）。
【特許文献１】特開２００４−２１３７２９
【発明の開示】
【発明が解決しようとする課題】
【０００４】
ところで、いわゆるミュージックビデオクリップ等のスライドショーのＤＶＤでは、Ｖ＿ＰＣＫのないＶＯＢＵが多く存在し、このようなＶＯＢＵでは、当該ＶＯＢＵより前のＶＯＢＵであってＶ＿ＰＣＫの存在する直近のＶＯＢＵの画像を表示している。そして、例えば、Ａ点をＶ＿ＰＣＫのないＶＯＢＵにおいて設定し、Ｂ点をＶ＿ＰＣＫのあるＶＯＢＵにおいて設定した場合、Ｂ点において再生を終了してＡ点に戻ると、Ａ点を設定したＶＯＢＵにはＶ＿ＰＣＫがないため、Ｂ点での画像がそのまま表示されてしまうこととなってしまう。そのため、本来ならば、Ａ点では、Ａ点が設定されたＶＯＢＵより前のＶＯＢＵであってＶ＿ＰＣＫの存在する直近のＶＯＢＵの画像が表示されるべきであるが、Ｂ点での画像をそのまま表示することとなってしまい、ユーザに違和感等を与えることとなってしまう。
【０００５】
本発明の課題は、指定された再生位置の画像を正確に表示することができるＤＶＤ再生装置を提供することである。
【課題を解決するための手段】
【０００６】
請求項１に記載の発明は、複数のＶＯＢＵにおける任意のＶＯＢＵ上で設定されたＡ点と、当該Ａ点よりも後となるＶＯＢＵ上で設定されたＢ点との間を繰り返し再生するＡ−Ｂリピート機能を備えたＤＶＤ再生装置において、前記Ａ点及び前記Ｂ点が設定されたＶＯＢＵのＮＶ＿ＰＣＫに記憶されたアドレスデータを記憶するＮＶ＿ＰＣＫ記憶手段と、前記Ａ点が設定された際に、前記Ａ点が設定された前記ＶＯＢＵにＶ＿ＰＣＫが含まれるか否かを判断する判断手段と、前記判断手段により、前記Ａ点が設定された前記ＶＯＢＵにＶ＿ＰＣＫが含まれないと判断された場合に、前記Ａ点が設定された前記ＶＯＢＵよりも前のＶＯＢＵであって、Ｖ＿ＰＣＫを有する直近のＶＯＢＵのアドレスデータを取得する取得手段と、前記取得手段により取得されたアドレスデータを記憶するＶ＿ＰＣＫ記憶手段と、前記Ｂ点まで再生されて前記Ａ点に戻ったときに、前記Ｖ＿ＰＣＫ記憶手段に記憶されたＶ＿ＰＣＫを有するＶＯＢＵのアドレスデータに基づく画像を再生する再生手段と、を備えることを特徴としている。
【０００７】
請求項２に記載の発明は、複数のＶＯＢＵにおける任意のＶＯＢＵ上で設定されたマーカー点から再生するマーカーサーチ機能を備えたＤＶＤ再生装置において、前記マーカー点が設定されたＶＯＢＵのＮＶ＿ＰＣＫに記憶されたアドレスデータを記憶するＮＶ＿ＰＣＫ記憶手段と、前記マーカー点が設定された前記ＶＯＢＵにＶ＿ＰＣＫが含まれるか否かを判断する判断手段と、前記判断手段により、前記マーカー点が設定された前記ＶＯＢＵにＶ＿ＰＣＫが含まれないと判断された場合に、前記マーカー点が設定された前記ＶＯＢＵよりも前のＶＯＢＵであって、Ｖ＿ＰＣＫを有する直近のＶＯＢＵのアドレスデータを取得する取得手段と、前記取得手段により取得されたアドレスデータを記憶するＶ＿ＰＣＫ記憶手段と、画像再生中に前記マーカー点に戻ったとき、前記Ｖ＿ＰＣＫ記憶手段に記憶されたＶ＿ＰＣＫを有するＶＯＢＵのアドレスデータに基づく画像を再生する再生手段と、を備えることを特徴としている。
【０００８】
請求項３に記載の発明は、複数のＶＯＢＵにおける任意のＶＯＢＵ上で設定されたＡ点と、当該Ａ点よりも後となるＶＯＢＵ上で設定されたＢ点との間を繰り返し再生するＡ−Ｂリピート機能を備えたＤＶＤ再生装置において、前記Ａ点及び前記Ｂ点が設定されたＶＯＢＵのＮＶ＿ＰＣＫに記憶されたアドレスデータを記憶するＮＶ＿ＰＣＫ記憶手段と、
前記Ａ点が設定された前記ＶＯＢＵにＶ＿ＰＣＫが含まれるか否かを判断する判断手段と、前記判断手段により、前記Ａ点が設定された前記ＶＯＢＵにＶ＿ＰＣＫが含まれないと判断された場合に、前記Ａ点が設定された前記ＶＯＢＵよりも前のＶＯＢＵであって、Ｖ＿ＰＣＫを有する直近のＶＯＢＵのアドレスデータを取得する取得手段と、前記取得手段により取得されたアドレスデータに基づくＶＯＢＵの画像を再生する再生手段と、を備えることを特徴としている。
【０００９】
請求項４に記載の発明は、設定されたＡ点とＢ点の間を繰り返し再生するＡ−Ｂリピート機能を備えたＤＶＤ再生装置において、前記Ａ点及び前記Ｂ点が設定されたＶＯＢＵのＮＶ＿ＰＣＫに記憶されたアドレスデータを記憶するＮＶ＿ＰＣＫ記憶手段と、前記Ｂ点まで再生されて前記Ａ点に戻った際に、前記Ａ点が設定された前記ＶＯＢＵにＶ＿ＰＣＫが含まれるか否かを判断する判断手段と、前記判断手段により、前記Ａ点が設定された前記ＶＯＢＵにＶ＿ＰＣＫが含まれないと判断された場合に、前記Ａ点が設定された前記ＶＯＢＵよりも前のＶＯＢＵであって、Ｖ＿ＰＣＫを有する直近のＶＯＢＵのアドレスデータを取得する取得手段と、前記取得手段により取得されたアドレスデータに基づくＶＯＢＵの画像を再生する再生手段と、を備えることを特徴としている。
【発明の効果】
【００１０】
請求項１に記載の発明によれば、Ａ−Ｂリピート機能を備えたＤＶＤ再生装置において、ＮＶ＿ＰＣＫ記憶手段により、Ａ点及びＢ点が設定されたＶＯＢＵのＮＶ＿ＰＣＫに記憶されたアドレスデータが記憶され、Ａ点が設定された際に、判断手段により、Ａ点が設定されたＶＯＢＵにＶ＿ＰＣＫが含まれるか否かが判断され、判断手段により、Ａ点が設定されたＶＯＢＵにＶ＿ＰＣＫが含まれないと判断された場合に、取得手段により、Ａ点が設定されたＶＯＢＵよりも前のＶＯＢＵであって、Ｖ＿ＰＣＫを有する直近のＶＯＢＵのアドレスデータが取得され、Ｖ＿ＰＣＫ記憶手段により、取得手段により取得されたアドレスデータが記憶され、Ｂ点まで再生されてＡ点に戻ったときに、再生手段により、Ｖ＿ＰＣＫ記憶手段に記憶されたＶ＿ＰＣＫを有するＶＯＢＵのアドレスデータに基づく画像が再生されるので、Ａ点が設定されたＶＯＢＵにＶ＿ＰＣＫが含まれない場合であっても、取得手段により取得されＶ＿ＰＣＫ記憶手段に記憶された、Ａ点が設定されたＶＯＢＵよりも前のＶＯＢＵであって、Ｖ＿ＰＣＫを有する直近のＶＯＢＵのアドレスデータに基づく画像を再生手段により再生することができることとなって、Ａ−Ｂリピート再生において、Ａ点に画像データがない場合であっても、Ａ点で表示されるべき画像を正確に再生することができる。
【００１１】
特に、Ａ点が設定されたＶＯＢＵにＶ＿ＰＣＫが含まれない場合であっても、Ａ点が設定されたＶＯＢＵよりも前のＶＯＢＵであって、Ｖ＿ＰＣＫを有する直近のＶＯＢＵのアドレスデータが、既に、Ｖ＿ＰＣＫ記憶手段に記憶されているので、Ｂ点からＡ点に戻ったときに、素早く当該アドレスデータに基づく画像を再生手段により再生できる。
【００１２】
請求項２に記載の発明によれば、マーカーサーチ機能を備えたＤＶＤ再生装置において、ＮＶ＿ＰＣＫ記憶手段により、マーカー点が設定されたＶＯＢＵのＮＶ＿ＰＣＫに記憶されたアドレスデータが記憶され、判断手段により、マーカー点が設定されたＶＯＢＵにＶ＿ＰＣＫが含まれるか否かが判断され、判断手段により、マーカー点が設定されたＶＯＢＵにＶ＿ＰＣＫが含まれないと判断された場合に、取得手段により、マーカー点が設定されたＶＯＢＵよりも前のＶＯＢＵであって、Ｖ＿ＰＣＫを有する直近のＶＯＢＵのアドレスデータが取得され、Ｖ＿ＰＣＫ記憶手段により、取得手段により取得されたアドレスデータが記憶され、画像再生中にマーカー点に戻ったとき、再生手段により、Ｖ＿ＰＣＫ記憶手段に記憶されたＶ＿ＰＣＫを有するＶＯＢＵのアドレスデータに基づく画像が再生されるので、マーカー点が設定されたＶＯＢＵにＶ＿ＰＣＫが含まれない場合であっても、取得手段により取得されたマーカー点が設定されたＶＯＢＵよりも前のＶＯＢＵであって、Ｖ＿ＰＣＫを有する直近のＶＯＢＵのアドレスデータに基づく画像を再生手段により再生することができることとなって、マーカーサーチ機能による再生において、マーカー点に画像データがない場合であっても、マーカー点で表示されるべき画像を正確に再生することができる。
【００１３】
請求項３に記載の発明によれば、Ａ−Ｂリピート機能を備えたＤＶＤ再生装置において、ＮＶ＿ＰＣＫ記憶手段によりＡ点及びＢ点が設定されたＶＯＢＵのＮＶ＿ＰＣＫに記憶されたアドレスデータが記憶され、判断手段により、Ａ点が設定されたＶＯＢＵにＶ＿ＰＣＫが含まれるか否かが判断され、当該判断手段により、Ａ点が設定されたＶＯＢＵにＶ＿ＰＣＫが含まれないと判断された場合に、取得手段により、Ａ点が設定されたＶＯＢＵよりも前のＶＯＢＵであって、Ｖ＿ＰＣＫを有する直近のＶＯＢＵのアドレスデータが取得され、再生手段により、取得手段により取得されたアドレスデータに基づくＶＯＢＵの画像を再生するので、Ａ点が設定されたＶＯＢＵにＶ＿ＰＣＫが含まれない場合であっても、取得手段により取得されたＡ点が設定されたＶＯＢＵよりも前のＶＯＢＵであって、Ｖ＿ＰＣＫを有する直近のＶＯＢＵのアドレスデータに基づく画像を再生手段により再生することができることとなって、Ａ−Ｂリピート再生において、Ａ点に画像データがない場合であっても、Ａ点で表示されるべき画像を正確に再生することができる。
【００１４】
請求項４に記載の発明によれば、Ａ−Ｂリピート機能を備えたＤＶＤ再生装置において、ＮＶ＿ＰＣＫ記憶手段によりＡ点及びＢ点が設定されたＶＯＢＵのＮＶ＿ＰＣＫに記憶されたアドレスデータが記憶され、Ｂ点まで再生されてＡ点に戻った際に、判断手段により、Ａ点が設定されたＶＯＢＵにＶ＿ＰＣＫが含まれるか否かが判断され、判断手段により、Ａ点が設定されたＶＯＢＵにＶ＿ＰＣＫが含まれないと判断された場合に、取得手段により、Ａ点が設定されたＶＯＢＵよりも前のＶＯＢＵであって、Ｖ＿ＰＣＫを有する直近のＶＯＢＵのアドレスデータが取得され、再生手段により、取得手段により取得されたアドレスデータに基づくＶＯＢＵの画像を再生するので、Ａ点が設定されたＶＯＢＵにＶ＿ＰＣＫが含まれない場合であっても、取得手段により取得されたＡ点が設定されたＶＯＢＵよりも前のＶＯＢＵであって、Ｖ＿ＰＣＫを有する直近のＶＯＢＵのアドレスデータに基づく画像を再生手段により再生することができることとなって、Ａ−Ｂリピート再生において、Ａ点に画像データがない場合であっても、Ａ点で表示されるべき画像を再生することができる。
【００１５】
特に、Ｂ点からＡ点に戻った際に、Ａ点が設定されたＶＯＢＵにＶ＿ＰＣＫが含まれているか否かを判断するので、Ａ点が設定されたＶＯＢＵよりも前のＶＯＢＵであって、Ｖ＿ＰＣＫを有する直近のＶＯＢＵのアドレスデータを記憶する記憶手段等を設けずに済む
こととなって、ＤＶＤ再生装置の構成をより簡単なものとすることができる。
【発明を実施するための最良の形態】
【００１６】
（第１の実施形態）
以下、図を参照して本発明に係るＤＶＤ再生装置を実施するための最良の形態を詳細に説明する。
＜ＤＶＤのデータの階層構造＞
まず、ＤＶＤに記録されるデータの階層構造について説明する。ＤＶＤに記録されるデータの階層構造は、例えば、標準規格の一つであるＩＳＯ９６６０及びユニバーサルディスクフォーマット（ＵＤＦ）ブリッジに準拠して定められている。そして、ＤＶＤに記録されるデータは、図１に示すように、リードインエリア１，ボリューム／ファイル構造エリア２，ＤＶＤビデオエリア３，他記録エリア４，リードアウトエリア５等の複数のエリアから構成される。
【００１７】
リードインエリア１からリードアウトエリア５までの間は、データ記録エリアであって、ボリュームスペースとして割り当てられる。ボリュームスペースは、ボリューム及びファイル構造のデータのための空間（ボリューム／ファイル構造エリア２）と、ＤＶＤ規格のアプリケーションのための空間（ＤＶＤビデオエリア３）と、この規格以外のための空間（他記録エリア４）等を含むことができる。
【００１８】
ボリューム／ファイル構造エリア２は、ＩＳＯ９６６０及びＵＤＦブリッジに定められる管理領域に相当する。
【００１９】
ＤＶＤビデオエリア３は、ＶＭＧ６（ビデオマネージャ）及び多数のＶＴＳ７（ビデオタイトルセット）のデータを記憶している。そして、ボリューム／ファイル構造エリア２の記述に基づいて、ＶＭＧ６の内容が後述するＤＶＤ再生装置内部のシステムマイコン３７に格納される。ＶＭＧ６にはＶＴＳ７を管理するデータが記述されている。
【００２０】
ＶＴＳ７は、ＶＴＳＩ（ビデオタイトルセット情報）８，ＶＴＳＭ＿ＶＯＢＳ（ビデオタイトルセットメニュー用ビデオオブジェクトセット）９，ＶＴＳＴＴ＿ＶＯＢＳ（ビデオタイトルセットタイトル用ビデオオブジェクトセット）１０，ＶＴＳＩ＿ＢＵＰ（ビデオタイトルセット情報のバックアップ）１１等を含んでいる。
【００２１】
ＶＴＳＴＴ＿ＶＯＢＳ１０は、複数のＶＯＢ（ビデオオブジェクト）１２によって構成されている。
【００２２】
他記録エリア４には、上述したＶＴＳ７で利用可能なデータ、或いは、ＶＴＳ７とは関係のない他のデータを記録することができる。なお、このエリアは必須ではない。
【００２３】
図２は、ＶＯＢ１２に含まれるデータの階層構造を示す図である。ＶＯＢ１２は、複数のＣｅｌｌ１３により構成されている。
【００２４】
Ｃｅｌｌ１３は、複数のＶＯＢＵ（ビデオオブジェクトユニット）１４から構成されている。そして、ＶＯＢＵ１４は、ＮＶ＿ＰＣＫ（ナビゲーションパック）１５，Ｖ＿ＰＣＫ（ビデオパック）１６，Ａ＿ＰＣＫ（オーディオパック）１７，ＳＰ＿ＰＣＫ（サブピクチャパック）１８，により構成されている。
【００２５】
Ｖ＿ＰＣＫ１６，Ａ＿ＰＣＫ１７，ＳＰ＿ＰＣＫ１８は、ＶＯＢＵ１４に複数含まれている。そして、Ｖ＿ＰＣＫ１６，Ａ＿ＰＣＫ１７，ＳＰ＿ＰＣＫ１８は、それぞれ、ビデオデータ，音声データ，字幕などのデータを、個別に圧縮・符号化して記憶している。
【００２６】
ＮＶ＿ＰＣＫ１５は、一つのＶＯＢＵ１４に必ず一つ含まれる。また、ＮＶ＿ＰＣＫ１５は、ＰＣＩ（プレゼンテーションコントロール情報）１９とＤＳＩ（データサーチ情報）２０等から構成され、Ｖ＿ＰＣＫ１６，Ａ＿ＰＣＫ１７，ＳＰ＿ＰＣＫ１８のアドレスデータと通常再生や特殊再生といった処理を円滑に行うための付加情報が記録されている。
【００２７】
ＤＳＩ２０は、現在のＶＯＢＵ１４に含まれるＶ＿ＰＣＫ１６，Ａ＿ＰＣＫ１７，ＳＰ＿ＰＣＫ１８のアドレスデータと、現在のＶＯＢＵ１４より前のＶＯＢＵ１４であって、ビデオデータ（Ｖ＿ＰＣＫ１６）を有する直近のＶＯＢＵ１４のＮＶ＿ＰＣＫ１５のアドレスデータとを記憶している。また、それぞれのＶＯＢＵ１４のＮＶ＿ＰＣＫ１５のアドレスデータは、ＰＣＩ１９に記述されている。
＜ＤＶＤ再生装置の構成＞
次に、本発明の第１の実施形態にかかるＤＶＤ再生装置１００の構成について、図３を参照しながら説明する。
【００２８】
ＤＶＤ再生装置１００は、図３に示すように、ピックアップ３０，ＲＦアンプ３１，モータ３２，サーボ回路３３，信号処理回路３４，トラックバッファ３５，システムデコーダ３６，システムマイコン３７，表示部３８等を備えて構成される。
【００２９】
ピックアップ３０は、所定波長のレーザ光をディスクｄの記録面に向けて照射し、その反射光を受け、当該反射光を電気信号（反射光検出信号）に変換する。また、ピックアップ３０は、この反射光検出信号をＲＦアンプ３１に出力する。なお、ピックアップ３０は、ディスクｄからの対象のデータを適宜読み出すことができるように、所定のガイド軸（図示省略）等により、ディスクｄの径方向に移動自在に指示されている。
【００３０】
ＲＦアンプ３１は、ピックアップ３０から出力された反射光検出信号からＲＦ信号，トラッキング信号，フォーカス信号等を生成する。さらに、ＲＦアンプ３１は、ＲＦ信号をデータスライスした二値化信号を生成する。ＲＦアンプ３１は、生成したトラッキング信号等をサーボ回路３３に出力し、また、生成した二値化信号を再生信号として信号処理回路３４に出力する。
【００３１】
モータ３２は、ディスクｄを搭載する所定のターンテーブルを回転するためのスピンドルモータ等からなる。モータ３２は、サーボ回路３３により制御され、ディスクｄを例えば線速度が一定となるように回転運動させる。
【００３２】
サーボ回路３３は、モータ３２を駆動制御し、所定の回転速度で回転駆動させる。また、サーボ回路３３は、ＲＦアンプ３１から出力されるトラッキング信号等によりスレッドモータ（図示省略）を駆動制御し、ピックアップ３０をディスクｄの径方向に適宜移動させる。
【００３３】
信号処理回路３４は、ＲＦアンプ３１から出力される再生信号を復調するとともに、誤り訂正処理等を施す。信号処理回路３４は、この復調等により得られた復調データをトラックバッファ３５に順次出力する。
【００３４】
トラックバッファ３５は、所定容量のＲＡＭ（Random  Access  Memory）（図示省略）等からなり、信号処理回路３４から出力された復調データを順次記憶する。なお、トラックバッファ３５に記憶された復調データは、システムデコーダ３６に逐次出力される。
【００３５】
システムデコーダ３６は、トラックバッファ３５から出力された復調データをデコードして、映像データ及び音声データ等を生成する。システムデコーダ３６は、生成した映像データ及び音声データ等を所定のＡＶアンプ（図示省略）等に出力する。
【００３６】
システムマイコン３７は、例えば、図４に示すように、ＣＰＵ（Central  Processing
Unit）３７０，ＲＡＭ３７１，記憶部３７２等を備えて構成される。
【００３７】
ＣＰＵ３７０は、記憶部３７２に格納された処理プログラム等を読み出して、ＲＡＭ３７１に展開して実行することにより、ＤＶＤ再生装置１００全体の制御を行う。
【００３８】
ＲＡＭ３７１は、ＣＰＵ３７０により実行された処理プログラム等を、ＲＡＭ３７１内のプログラム格納領域に展開するとともに、入力データや上記処理プログラムが実行される際に生じる処理結果等をワークエリアに格納する。
【００３９】
記憶部３７２は、例えば、プログラムやデータ等が予め記憶されている記録媒体（図示省略）を有しており、この記録媒体は半導体メモリ等で構成されている。また、記憶部３７２は、ＣＰＵ３７０がＤＶＤ再生装置１００全体を制御する機能を実現させるための各種データ，各種処理プログラム，これらプログラムの実行により処理されたデータ等を記憶する。より具体的には、記憶部３７２は、例えば、図４に示すように、ＮＶ＿ＰＣＫ記憶手段としてのＮＶ＿ＰＣＫデータファイル３７２ａ，Ｖ＿ＰＣＫ記憶手段としてのＶ＿ＰＣＫデータファイル３７２ｂ，再生プログラム３７２ｃ，Ａ点・Ｂ点設定プログラム３７２ｄ，判断プログラム３７２ｅ，取得プログラム３７２ｆ，Ａ−Ｂリピート再生プログラム３７２ｇ等を格納している。
【００４０】
ＮＶ＿ＰＣＫデータファイル３７２ａは、例えば、ユーザ（図示省略）により設定されたＡ点とＢ点との間を繰り返し再生するＡ−Ｂリピート機能において、Ａ点及びＢ点として設定されたＶＯＢＵ１４のＮＶ＿ＰＣＫ１５に記憶されたアドレスデータを記憶する。
【００４１】
Ｖ＿ＰＣＫデータファイル３７２ｂは、例えば、Ａ点が設定されたＶＯＢＵ１４にＶ＿ＰＣＫ１６がない場合に、当該ＶＯＢＵ１４のＮＶ＿ＰＣＫ１５のＤＳＩ２０を検索することにより、当該ＶＯＢＵ１４より前のＶＯＢＵ１４であって、Ｖ＿ＰＣＫ１６を有する直近のＶＯＢＵ１４のアドレスデータを記憶する。
【００４２】
再生プログラム３７２ｃは、例えば、ＣＰＵ３７０に、サーボ回路３３等を制御して、ディスクｄを読み出して再生する機能を実現させるプログラムである。より具体的には、ＣＰＵ３７０に、サーボ回路３３及びピックアップ３０を制御して、Ｃｅｌｌ１３を構成するＶＯＢＵ１４の再生管理情報であるＮＶ＿ＰＣＫ１５を検索させ、読み出し対象となる対象データのアドレスを取得させ、取得したアドレスの対象データをサーチさせ、サーチした対象データをディスクｄから読み出させ、信号制御回路３４を制御して、読み出された対象データ（再生信号）の復調及び誤り訂正処理等を行わせ、復調データをトラックバッファ３５に格納し、システムデコーダ３６を制御して、格納した復調データをデコードさせ、得られた映像データ及び音声データを順次再生する機能を実現させるプログラムである。
【００４３】
Ａ点・Ｂ点設定プログラム３７２ｄは、例えば、ＣＰＵ３７０に、ユーザ（図示省略）によりリモートコントローラ（以下、リモコン）（図示省略）又はＤＶＤ再生装置１００本体に備えられた地点設定キー（図示省略）が押下されたことに基づいて、Ａ点又はＢ点が設定されたＶＯＢＵ１４のＮＶ＿ＰＣＫ１５のＰＣＩ１９を検索して、当該ＶＯＢＵ１４のアドレスデータを抽出してＮＶ＿ＰＣＫデータファイル３７２ａに格納する機能を実現させるプログラムである。
【００４４】
判断プログラム３７２ｅは、例えば、ＣＰＵ３７０に、Ａ点が設定されたＶＯＢＵ１４にＶ＿ＰＣＫ１６が含まれているか否かを判断する機能を実現させるプログラムである。より具体的には、ＣＰＵ３７０に、Ａ点が設定されたＶＯＢＵ１４のＮＶ＿ＰＣＫ１５の
ＤＳＩ２０を検索し、Ｖ＿ＰＣＫ１６のアドレスデータが記述されているか否かを判断することにより、当該ＶＯＢＵ１４にＶ＿ＰＣＫ１６が含まれているか否かを判断する機能を実現させるプログラムである。ＣＰＵ３７０は、かかる判断プログラム３７２ｅを実行することにより、判断手段として機能する。
【００４５】
取得プログラム３７２ｆは、例えば、ＣＰＵ３７０に、Ａ点が設定されたＶＯＢＵ１４にＶ＿ＰＣＫ１６が含まれていないと判断した際に、Ａ点が設定されたＶＯＢＵ１４よりも前のＶＯＢＵ１４であって、Ｖ＿ＰＣＫ１６を有する直近のＶＯＢＵ１４のアドレスデータを取得する機能を実現させるプログラムである。より具体的には、ＣＰＵ３７０に、Ａ点が設定されたＶＯＢＵ１４にＶ＿ＰＣＫ１６が含まれていないと判断した際に、当該ＶＯＢＵ１４のＮＶ＿ＰＣＫ１５のＤＳＩ２０を検索して、Ａ点が設定されたＶＯＢＵ１４よりも前のＶＯＢＵ１４であって、Ｖ＿ＰＣＫ１６を有する直近のＶＯＢＵ１４のアドレスデータを取得し、Ｖ＿ＰＣＫデータファイル３７２ｂに格納する機能を実現させるプログラムである。ＣＰＵ３７０は、かかる取得プログラム３７２ｆを実現することにより、取得手段として機能する。
【００４６】
Ａ−Ｂリピート再生プログラム３７２ｇは、例えば、ＣＰＵ３７０に、ユーザにより、リモコン又はＤＶＤ再生装置１００本体のＡ−Ｂリピート再生キー（図示省略）が押下された際に、Ａ点からＢ点までの間を繰り返し再生する機能を実現させるプログラムである。より具体的には、ＣＰＵ３７０に、ユーザにより、リモコン又はＤＶＤ再生装置１００本体のＡ−Ｂリピート再生キーが押下された際に、ＮＶ＿ＰＣＫデータファイル３７２ａに記憶されたアドレスデータに基づいて、ピックアップ３０にディスクｄをサーチさせ、Ａ点又はＢ点が設定されたＶＯＢＵ１４を検索するとともに、Ｖ＿ＰＣＫデータファイル３７２ｂを検索して、Ａ点が設定されたＶＯＢＵ１４よりも前のＶＯＢＵ１４であって、Ｖ＿ＰＣＫ１６を有する直近のＶＯＢＵ１４のアドレスデータが記憶されているか否かを判断し、Ｖ＿ＰＣＫデータファイル３７２ｂにＡ点が設定されたＶＯＢＵ１４よりも前のＶＯＢＵ１４であって、Ｖ＿ＰＣＫ１６を有する直近のＶＯＢＵ１４のアドレスデータが記憶されている場合に、当該Ｖ＿ＰＣＫ１６，即ち，ビデオデータを取得し、当該ビデオデータとＡ点が設定されたＶＯＢＵ１４から得られる画像データ及び音声データを再生する機能を実現させるプログラムである。ＣＰＵ３７０は、かかるＡ−Ｂリピート再生プログラム３７２ｇを実行することにより、再生手段として機能する。
【００４７】
表示部３８は、ＬＣＤ（Liquid  Crystal  Dysplay）パネル等からなり、ＤＶＤ再生装置１００の動作状況等を表示する。
＜ＤＶＤ再生装置の動作＞
次に、上述のような構成の第１の実施形態にかかるＤＶＤ再生装置１００の動作について、図５，図６に示すフローチャートを参照しながら説明する。
【００４８】
まず、図５を参照しながら、Ａ点及びＢ点の設定処理について説明する。ユーザ（図示省略）により、例えば、ＤＶＤ再生中に、地点設定キー（図示省略）が押下されると、ＣＰＵ３７０は、当該地点設定キーからの出力を感知することにより、Ａ点の設定処理命令が入力されたと判断する（ステップＳ１）。
【００４９】
次に、ＣＰＵ３７０は、判断プログラム３７２ｅを実行することにより、Ａ点が設定されたＶＯＢＵ１４にＶ＿ＰＣＫ１６が含まれているか否かを判断する（ステップＳ２）。
【００５０】
ステップＳ２において、Ａ点が設定されたＶＯＢＵ１４にＶ＿ＰＣＫ１６が含まれていると判断した場合には（ステップＳ２；Ｙｅｓ）、ステップＳ５へ進む。
【００５１】
ステップＳ２において、Ａ点が設定されたＶＯＢＵ１４にＶ＿ＰＣＫ１６が含まれていないと判断した場合には（ステップＳ２；Ｎｏ）、ＣＰＵ３７０は、取得プログラム３７
２ｆを実行することにより、Ａ点が設定されたＶＯＢＵ１４のＮＶ＿ＰＣＫ１５のＤＳＩ２０を検索して、Ａ点が設定されたＶＯＢＵ１４よりも前のＶＯＢＵ１４であって、Ｖ＿ＰＣＫ１６を有する直近のＶＯＢＵ１４のアドレスデータを取得する（ステップＳ３）。
【００５２】
次に、ＣＰＵ３７０は、ステップＳ３で取得した、Ａ点が設定されたＶＯＢＵ１４よりも前のＶＯＢＵ１４であって、Ｖ＿ＰＣＫ１６を有する直近のＶＯＢＵ１４のアドレスデータをＶ＿ＰＣＫデータファイル３７２ｂに格納する（ステップＳ４）。
【００５３】
次に、ＣＰＵ３７０は、Ａ点・Ｂ点設定プログラム３７２ｄを実行することにより、Ａ点が設定されたＶＯＢＵ１４のＮＶ＿ＰＣＫ１５のＰＣＩ１９を検索して、当該ＶＯＢＵ１４のアドレスデータを抽出してＮＶ＿ＰＣＫデータファイル３７２ａに格納することにより、Ａ点の設定処理が完了する（ステップＳ５）。
【００５４】
次に、ユーザ（図示省略）により地点設定キー（図示省略）が押下されると、ＣＰＵ３７０は、リモコン又はＤＶＤ再生装置１００本体に備えられた地点設定キーからの出力を感知することにより、Ｂ点の設定処理命令が入力されたと判断する（ステップＳ６）。
【００５５】
次に、ＣＰＵ３７０は、Ａ点・Ｂ点設定プログラム３７２ｄを実行することにより、Ｂ点が設定されたＶＯＢＵ１４のＮＶ＿ＰＣＫ１５のＰＣＩ１９を検索して、当該ＶＯＢＵ１４のアドレスデータを抽出してＮＶ＿ＰＣＫデータファイル３７２ａに格納することにより、Ｂ点の設定処理が完了する（ステップＳ７）。
【００５６】
次に、図６を参照しながら、Ａ−Ｂリピート再生処理について説明する。
【００５７】
ユーザにより、リモコン又はＤＶＤ再生装置１００本体に備えられたＡ−Ｂリピート再生キー（図示省略）が押下されると、ＣＰＵ３７０は、Ａ−Ｂリピート再生プログラム３７２ｇを実行することにより、Ａ点の設定処理において、ＮＶ＿ＰＣＫデータファイル３７２ａに記憶されたアドレスデータに基づいて、ピックアップ３０にディスクｄをサーチさせ、Ａ点が設定されたＶＯＢＵ１４を検索する（ステップＳ１０）。
【００５８】
次に、ＣＰＵ３７０は、Ｖ＿ＰＣＫデータファイル３７２ｂを検索して、Ａ点の設定処理において、Ａ点が設定されたＶＯＢＵ１４よりも前のＶＯＢＵ１４であって、Ｖ＿ＰＣＫ１６を有する直近のＶＯＢＵ１４のアドレスデータが記憶されているか否かを判断する（ステップＳ１１）。
【００５９】
ステップＳ１１において、Ａ点が設定されたＶＯＢＵ１４よりも前のＶＯＢＵ１４であって、Ｖ＿ＰＣＫ１６を有する直近のＶＯＢＵ１４のアドレスデータが記憶されていないと判断した場合には（ステップＳ１１；Ｎｏ）、ステップＳ１３に進む。
【００６０】
ステップＳ１１において、Ａ点が設定されたＶＯＢＵ１４よりも前のＶＯＢＵ１４であって、Ｖ＿ＰＣＫ１６を有する直近のＶＯＢＵ１４のアドレスデータが記憶されていると判断した場合には（ステップＳ１１；Ｙｅｓ）、当該アドレスデータに基づいて、Ａ点が設定されたＶＯＢＵ１４よりも前のＶＯＢＵ１４であって、Ｖ＿ＰＣＫ１６を有する直近のＶＯＢＵ１４を検索して、Ｖ＿ＰＣＫ１６，即ち，ビデオデータを取得する（ステップＳ１２）。
【００６１】
次に、ＣＰＵ３７０は、Ａ点が設定されたＶＯＢＵ１４のアドレスデータに基づいて、Ａ点が設定されたＶＯＢＵ１４の位置からＤＶＤの再生を開始する。このとき、ステップＳ１２で取得したＶ＿ＰＣＫ１６（ビデオデータ）がある場合には、当該ビデオデータとＡ点が設定されたＶＯＢＵ１４のデータとを信号制御回路３４を制御して復調・誤り訂正処理させ、システムデコーダ３６を制御してデコードさせ、得られた画像データ及び音声データを再生する（ステップＳ１３）。
【００６２】
次に、ＣＰＵ３７０は、Ｂ点の設定処理において、ＮＶ＿ＰＣＫデータファイル３７２ａに記憶されたアドレスデータに基づいて、ピックアップ３０にディスクｄをサーチさせ、Ｂ点が設定されたＶＯＢＵ１４を検索し、当該Ｂ点が設定されたＶＯＢＵ１４の位置においてＤＶＤの再生を停止し（ステップＳ１４）、ステップＳ１０に戻って、Ａ点に復帰する。
【００６３】
以上に説明した、第１の実施形態に係るＤＶＤ再生装置１００によれば、ＮＶ＿ＰＣＫデータファイル３７２ａに、Ａ点及びＢ点が設定されたＶＯＢＵ１４のＮＶ＿ＰＣＫ１５に記憶されたアドレスデータが記憶され、Ａ点が設定された際に、ＣＰＵ３７０が判断プログラム３７２ｅを実行することにより、Ａ点が設定されたＶＯＢＵ１４にＶ＿ＰＣＫ１６が含まれないと判断された場合に、ＣＰＵ３７０が取得プログラム３７２ｆを実行することにより、Ａ点が設定されたＶＯＢＵ１４よりも前のＶＯＢＵ１４であって、Ｖ＿ＰＣＫ１６を有する直近のＶＯＢＵ１４のアドレスデータが取得され、Ｖ＿ＰＣＫデータファイル３７２ｂに、取得されたアドレスデータが記憶され、Ｂ点まで再生されてＡ点に戻ったときに、ＣＰＵ３７０が再生プログラム３７２ｃを実行することにより、Ｖ＿ＰＣＫデータファイル３７２ｂに記憶されたＶ＿ＰＣＫ１６を有するＶＯＢＵ１４のアドレスデータに基づく画像が再生されるので、Ａ点が設定されたＶＯＢＵ１４にＶ＿ＰＣＫ１６が含まれない場合であっても、Ｖ＿ＰＣＫデータファイル３７２ｂに記憶されたＡ点が設定されたＶＯＢＵ１４よりも前のＶＯＢＵ１４であって、Ｖ＿ＰＣＫ１６を有する直近のＶＯＢＵ１４のアドレスデータに基づく画像を、ＣＰＵ３７０が再生プログラム３７２ｃを実行することにより再生することができることとなって、Ａ−Ｂリピート再生において、Ａ点に画像データがない場合であっても、Ａ点で表示されるべき画像を正確に再生することができる。
【００６４】
特に、Ａ点が設定されたＶＯＢＵ１４にＶ＿ＰＣＫ１６が含まれない場合であっても、Ａ点が設定されたＶＯＢＵ１４よりも前のＶＯＢＵ１４であって、Ｖ＿ＰＣＫ１６を有する直近のＶＯＢＵ１４のアドレスデータが、既に、Ｖ＿ＰＣＫデータファイル３７２ｂに記憶されているので、Ｂ点からＡ点に戻ったときに、素早く当該アドレスデータに基づく画像を再生できる。
（第２の実施形態）
第２の実施形態に係るＤＶＤ再生装置２００では、Ｖ＿ＰＣＫデータファイル３７２ｂが備えられていないことのみが第１の実施形態のＤＶＤ再生装置１００と異なるため、第１の実施形態のＤＶＤ再生装置１００と同様の構成については、同一符号を付すとともに、その説明を省略する。
【００６５】
第２の実施形態に係るＤＶＤ再生装置２００は、図７に示すように、ピックアップ３０，ＲＦアンプ３１，モータ３２，サーボ回路３３，信号処理回路３４，トラックバッファ３５，システムデコーダ３６，システムマイコン４７，表示部３８等を備えて構成される。
【００６６】
第２の実施形態にかかるシステムマイコン４７は、例えば、図８に示すように、ＣＰＵ（Central  Processing  Unit）４７０，ＲＡＭ４７１，記憶部４７２等を備えて構成さ
れる。
【００６７】
記憶部４７２は、例えば、プログラムやデータ等が予め記憶されている記録媒体（図示省略）を有しており、この記録媒体は半導体メモリ等で構成されている。また、記憶部４７２は、ＣＰＵ４７０がＤＶＤ再生装置２００全体を制御する機能を実現させるための各種データ，各種処理プログラム，これらプログラムの実行により処理されたデータ等を記憶する。より具体的には、記憶部４７２は、例えば、図８に示すように、ＮＶ＿ＰＣＫ記
憶手段としてのＮＶ＿ＰＣＫデータファイル３７２ａ，再生プログラム３７２ｃ，Ａ点・Ｂ点設定プログラム３７２ｄ，判断プログラム３７２ｅ，取得プログラム４７２ｆ，Ａ−Ｂリピート再生プログラム４７２ｇ等を格納している。
【００６８】
第２の実施形態に係る取得プログラム４７２ｆは、例えば、ＣＰＵ４７０に、Ａ点が設定されたＶＯＢＵ１４にＶ＿ＰＣＫ１６が含まれていないと判断した際に、Ａ点が設定されたＶＯＢＵ１４よりも前のＶＯＢＵ１４であって、Ｖ＿ＰＣＫ１６を有する直近のＶＯＢＵ１４のアドレスデータを取得する機能を実現させるプログラムである。より具体的には、ＣＰＵ４７０に、Ａ点が設定されたＶＯＢＵ１４にＶ＿ＰＣＫ１６が含まれていないと判断した際に、当該ＶＯＢＵ１４のＮＶ＿ＰＣＫ１５のＤＳＩ２０を検索して、Ａ点が設定されたＶＯＢＵ１４よりも前のＶＯＢＵ１４であって、Ｖ＿ＰＣＫ１６を有する直近のＶＯＢＵ１４のアドレスデータを取得する機能を実現させるプログラムである。ＣＰＵ４７０は、かかる取得プログラム４７２ｆを実現することにより、取得手段として機能する。
【００６９】
第２の実施形態に係るＡ−Ｂリピート再生プログラム４７２ｇは、例えば、ＣＰＵ４７０に、ユーザにより、リモコン（図示省略）又はＤＶＤ再生装置２００本体のＡ−Ｂリピート再生キー（図示省略）が押下された際に、Ａ点からＢ点までの間を繰り返し再生する機能を実現させるプログラムである。より具体的には、ＣＰＵ４７０に、ユーザにより、リモコン又はＤＶＤ再生装置２００本体のＡ−Ｂリピート再生キーが押下された際に、ＮＶ＿ＰＣＫデータファイル３７２ａに記憶されたアドレスデータに基づいて、ピックアップ３０にディスクｄをサーチさせ、Ａ点又はＢ点が設定されたＶＯＢＵ１４を検索するとともに、判断プログラム３７２ｅの実行により、Ａ点を設定されたＶＯＢＵ１４にＶ＿ＰＣＫ１６がないと判断され、取得プログラム４７２ｆの実行により、Ａ点が設定されたＶＯＢＵ１４よりも前のＶＯＢＵ１４であって、Ｖ＿ＰＣＫ１６を有する直近のＶＯＢＵ１４のアドレスデータが取得された後に、当該Ｖ＿ＰＣＫ１６，即ち，ビデオデータを取得し、当該ビデオデータとＡ点が設定されたＶＯＢＵ１４から得られる画像データ及び音声データを再生する機能を実現させるプログラムである。ＣＰＵ４７０は、かかるＡ−Ｂリピート再生プログラム４７２ｇを実行することにより、再生手段として機能する。
＜ＤＶＤ再生装置の動作＞
次に、上述のような構成の第２の実施形態に係るＤＶＤ再生装置２００の動作について、図９，図１０に示すフローチャートを参照しながら説明する。
【００７０】
まず、図９を参照しながら、Ａ点及びＢ点の設定処理について説明する。ユーザ（図示省略）により、例えば、ＤＶＤ再生中に、地点設定キー（図示省略）が押下されると、ＣＰＵ４７０は、当該地点設定キーからの出力を感知することにより、Ａ点の設定処理命令が入力されたと判断する（ステップＳ１０１）。
【００７１】
次に、ＣＰＵ４７０は、Ａ点・Ｂ点設定プログラム３７２ｄを実行することにより、Ａ点が設定されたＶＯＢＵ１４のＮＶ＿ＰＣＫ１５のＰＣＩ１９を検索して、当該ＶＯＢＵ１４のアドレスデータを抽出してＮＶ＿ＰＣＫデータファイル３７２ａに格納することにより、Ａ点の設定処理が完了する（ステップＳ１０２）。
【００７２】
次に、ユーザ（図示省略）により地点設定キー（図示省略）が押下されると、ＣＰＵ４７０は、リモコン又はＤＶＤ再生装置２００本体に備えられた地点設定キーからの出力を感知することにより、Ｂ点の設定処理命令が入力されたと判断する（ステップＳ１０３）。
【００７３】
次に、ＣＰＵ４７０は、Ａ点・Ｂ点設定プログラム３７２ｄを実行することにより、Ｂ点が設定されたＶＯＢＵ１４のＮＶ＿ＰＣＫ１５のＰＣＩ１９を検索して、当該ＶＯＢＵ
１４のアドレスデータを抽出してＮＶ＿ＰＣＫデータファイル３７２ａに格納することにより、Ｂ点の設定処理が完了する（ステップＳ１０４）。
【００７４】
次に、図１０を参照しながら、Ａ−Ｂリピート再生処理について説明する。
【００７５】
ユーザにより、リモコン又はＤＶＤ再生装置２００本体に備えられたＡ−Ｂリピート再生キー（図示省略）が押下されると、ＣＰＵ４７０は、Ａ−Ｂリピート再生プログラム４７２ｇを実行することにより、Ａ点の設定処理において、ＮＶ＿ＰＣＫデータファイル３７２ａに記憶されたアドレスデータに基づいて、ピックアップ３０にディスクｄをサーチさせ、Ａ点が設定されたＶＯＢＵ１４を検索する（ステップＳ１１０）。
【００７６】
次に、ＣＰＵ４７０は、判断プログラム３７２ｅを実行することにより、Ａ点が設定されたＶＯＢＵ１４にＶ＿ＰＣＫ１６が含まれているか否かを判断する（ステップＳ１１１）。
【００７７】
ステップＳ１１１において、Ａ点が設定されたＶＯＢＵ１４にＶ＿ＰＣＫ１６が含まれていると判断した場合には（ステップＳ１１１；Ｙｅｓ）、ステップＳ１１４へ進む。
【００７８】
ステップＳ１１１において、Ａ点が設定されたＶＯＢＵ１４にＶ＿ＰＣＫ１６が含まれていないと判断した場合には（ステップＳ１１１；Ｎｏ）、ＣＰＵ４７０は、取得プログラム４７２ｆを実行することにより、Ａ点が設定されたＶＯＢＵ１４のＮＶ＿ＰＣＫ１５のＤＳＩ２０を検索して、Ａ点が設定されたＶＯＢＵ１４よりも前のＶＯＢＵ１４であって、Ｖ＿ＰＣＫ１６を有する直近のＶＯＢＵ１４のアドレスデータを取得する（ステップＳ１１２）。
【００７９】
次に、Ｓ１１２で取得したアドレスデータに基づいて、ＣＰＵ４７０は、Ａ点が設定されたＶＯＢＵ１４よりも前のＶＯＢＵ１４であって、Ｖ＿ＰＣＫ１６を有する直近のＶＯＢＵ１４を検索して、Ｖ＿ＰＣＫ１６，即ち，ビデオデータを取得する（ステップＳ１１３）。
【００８０】
次に、ＣＰＵ４７０は、Ａ点が設定されたＶＯＢＵ１４のアドレスデータに基づいて、Ａ点が設定されたＶＯＢＵ１４の位置からＤＶＤの再生を開始する。このとき、ステップＳ１１３で取得したＶ＿ＰＣＫ１６（ビデオデータ）がある場合には、当該ビデオデータとＡ点が設定されたＶＯＢＵ１４のデータとを信号制御回路３４を制御して復調・誤り訂正処理させ、システムデコーダ３６を制御してデコードさせ、得られた画像データ及び音声データを再生する（ステップＳ１１４）。
【００８１】
次に、ＣＰＵ４７０は、Ｂ点の設定処理において、ＮＶ＿ＰＣＫデータファイル３７２ａに記憶されたアドレスデータに基づいて、ピックアップ３０にディスクｄをサーチさせ、Ｂ点が設定されたＶＯＢＵ１４を検索し、当該Ｂ点が設定されたＶＯＢＵ１４の位置においてＤＶＤの再生を停止し（ステップＳ１１５）、ステップＳ１１０に戻って、Ａ点に復帰する。
【００８２】
以上に説明した、第２の実施形態に係るＤＶＤ再生装置２００によれば、ＮＶ＿ＰＣＫデータファイル３７２ａに、Ａ点及びＢ点が設定されたＶＯＢＵ１４のＮＶ＿ＰＣＫ１５に記憶されたアドレスデータが記憶され、Ｂ点まで再生されてＡ点に戻った際に、ＣＰＵ４７０が判断プログラム３７２ｅを実行することにより、Ａ点が設定されたＶＯＢＵ１４にＶ＿ＰＣＫ１６が含まれるか否かが判断され、Ａ点が設定されたＶＯＢＵ１４にＶ＿ＰＣＫ１６が含まれないと判断された場合に、ＣＰＵ４７０が取得プログラム４７２ｆを実行することにより、Ａ点が設定されたＶＯＢＵ１４よりも前のＶＯＢＵ１４であって、Ｖ＿ＰＣＫ１６を有する直近のＶＯＢＵ１４のアドレスデータが取得され、ＣＰＵ４７０が再生プログラム３７２ｃを実行することにより、取得されたアドレスデータに基づくＶＯ
ＢＵ１４の画像を再生するので、Ａ点が設定されたＶＯＢＵ１４にＶ＿ＰＣＫ１６が含まれない場合であっても、ＣＰＵ４７０が取得プログラム４７２ｆを実行することにより取得されたＡ点が設定されたＶＯＢＵ１４よりも前のＶＯＢＵ１４であって、Ｖ＿ＰＣＫ１６を有する直近のＶＯＢＵ１４のアドレスデータに基づく画像を、ＣＰＵ４７０が再生プログラム３７２ｃを実行することにより再生することができることとなって、Ａ−Ｂリピート再生において、Ａ点に画像データがない場合であっても、Ａ点で表示されるべき画像を再生することができる。
【００８３】
特に、Ｂ点からＡ点に戻った際に、Ａ点が設定されたＶＯＢＵ１４にＶ＿ＰＣＫ１６が含まれているか否かを判断するので、Ａ点が設定されたＶＯＢＵ１４よりも前のＶＯＢＵ１４であって、Ｖ＿ＰＣＫ１６を有する直近のＶＯＢＵ１４のアドレスデータを記憶する記憶手段等を設けずに済むこととなって、ＤＶＤ再生装置２００の構成をより簡単なものとすることができる。
【００８４】
なお、本発明の実施形態においてＢ点を必ず設定する必要はなく、Ｂ点を設定せずにＡ点をマーカー点として設定することにより、マーカー点から再生するマーカーサーチ機能における再生においても、本発明と同様の効果を発揮することができる。即ち、ＣＰＵが、マーカー点が設定されたＶＯＢＵにＶ＿ＰＣＫが含まれるか否かを判断し、マーカー点が設定されたＶＯＢＵにＶ＿ＰＣＫが含まれないと判断した場合に、ＣＰＵが、マーカー点が設定されたＶＯＢＵよりも前のＶＯＢＵであって、Ｖ＿ＰＣＫを有する直近のＶＯＢＵのアドレスデータを取得し、ＣＰＵが、取得されたアドレスデータに基づくＶＯＢＵの画像を再生するので、マーカー点が設定されたＶＯＢＵにＶ＿ＰＣＫが含まれない場合であっても、ＣＰＵにより取得されたマーカー点が設定されたＶＯＢＵよりも前のＶＯＢＵであって、Ｖ＿ＰＣＫを有する直近のＶＯＢＵのアドレスデータに基づく画像を、ＣＰＵが再生することができることとなって、マーカーサーチ機能における再生において、マーカー点に画像データがない場合であっても、マーカー点で表示されるべき画像を再生することができる。
【図面の簡単な説明】
【００８５】
【図１】第１の実施形態に係るＤＶＤに記録されるデータの階層構造を示す図である。
【図２】第１の実施形態に係るＤＶＤに記録されるＶＯＢの階層構造を示す図である。
【図３】第１の実施形態に係るＤＶＤ再生装置の構成を示すブロック図である。
【図４】第１の実施形態に係るシステムマイコンの構成を示す図である。
【図５】第１の実施形態に係るＤＶＤ再生装置の動作を説明するフローチャートである。
【図６】第１の実施形態に係るＤＶＤ再生装置の動作を説明するフローチャートである。
【図７】第２の実施形態に係るＤＶＤ再生装置の構成を示すブロック図である。
【図８】第２の実施形態に係るシステムマイコンの構成を示す図である。
【図９】第２の実施形態に係るＤＶＤ再生装置の動作を説明するフローチャートである。
【図１０】第２の実施形態に係るＤＶＤ再生装置の動作を説明するフローチャートである。
【符号の説明】
【００８６】
１２  ＶＯＢＵ
１５  ＮＶ＿ＰＣＫ
１６  Ｖ＿ＰＣＫ
１００,２００  ＤＶＤ再生装置
３７０,４７０  ＣＰＵ（判断手段,取得手段,再生手段）
３７２,４７２  記憶部（ＮＶ＿ＰＣＫ記憶手段,Ｖ＿ＰＣＫ記憶手段）
３７２ａ  ＮＶ＿ＰＣＫデータファイル（ＮＶ＿ＰＣＫ記憶手段）
３７２ｂ  Ｖ＿ＰＣＫデータファイル（Ｖ＿ＰＣＫ記憶手段）
３７２ｅ  判断プログラム（判断手段）
３７２ｆ,４７２ｆ  取得プログラム（取得手段）
３７２ｇ,４７２ｇ  Ａ−Ｂリピート再生プログラム（再生手段）
【図１】
2006228264.tif 000003
【図２】
2006228264.tif 000004
【図３】
2006228264.tif 000005
【図４】
2006228264.tif 000006
【図５】
2006228264.tif 000007
【図６】
2006228264.tif 000008
【図７】
2006228264.tif 000009
【図８】
2006228264.tif 000010
【図９】
2006228264.tif 000011
【図１０】
2006228264.tif 000012